(57)【要約】【課題】建材同士の縦継目が柱スパン間に位置する場合であっても該建材の横ズレを防止することができる建材の取付金具及び取付構造を提供する。【解決手段】取付金具１は、取付金具本体２０と横長材１０とからなる。取付金具本体２０の係止部２４によって下段側の建材５０の上部を係止し、支持部２６によって上段側の建材５０を支承する。取付金具本体２０は横長材１０の左端又は右端に設けられた突部１３と、横長材１０の上辺の係止片１２とに係合保護されている。横長材１０は、取付金具本体の素体２０’と共にビス２により柱の縦胴縁５４に固着されている。【選択図】図４
2007162352.tif 000002
【特許請求の範囲】
【請求項１】
建物の柱に対し板状の建材を取り付けるための取付金具であって、
柱の前面に取り付けられる横長板状の横長材と、
下段側建材の上部を前後移動不能に係止する係止部、上段側の建材の下部が載荷され、該建材下部を前方移動不能に支持する支持部、及び、該下段側建材の側面に当接して建材の横移動を阻止するストッパ片を有する取付金具本体と、
を有し、該横長材の前面に該取付金具本体が装着される建材取付金具において、
前記横長材の長手方向の両端側に、前方へ突出する突部が設けられ、
該取付金具本体に、該突部が係合する孔が設けられていることを特徴とする建材取付金具。
【請求項２】
請求項１において、前記突部は、該孔を通過する前方突出部と、該前方突出部から垂設され、該孔の縁部に係合した係合部とを有することを特徴とする建材取付金具。
【請求項３】
請求項１又は２において、前記横長材は、
平板状であり、該取付金具本体が前面に重ねられる主板と、
該主板の上縁から前方へ突設され、該取付金具本体の上縁を係止する係止片と
を有することを特徴とする建材取付金具。
【請求項４】
請求項１ないし３のいずれか１項において、該横長材の長手方向に沿って、該取付金具を柱に留め付けるための留付具の挿通用のスリットが設けられていることを特徴とする建材取付金具。
【請求項５】
壁面の柱列に対し複数枚の板状の建材を取付金具によって取り付けた建材の取付構造において、
少なくとも一部の該建材同士の縦継目が柱同士のスパン間に位置しており、
該柱に請求項１ないし４のいずれか１項に記載の取付金具の横長材が固定され、該取付金具の取付金具本体に建材が留め付けられ、該取付金具本体のストッパ片が建材同士の縦継目間に差し込まれていることを特徴とする建材の取付構造。
【発明の詳細な説明】
【技術分野】
【０００１】
本発明は建材の取付金具と、それを用いて建材を柱に取り付けた構造に関するものである。詳しくは、柱に対し複数の板状建材を上下に多段に取り付ける場合に採用される取付金具と、この取付金具を用いた建材の取付構造とに関するものである。さらに詳しくは、この取付金具が建材の横ずれ防止機構を備えたものに関する。
【背景技術】
【０００２】
板状の建材を建築物の外壁等の壁面に対し、上下に多段に且つ水平左右方向に並列させて取付施工する場合、建材の上辺及び下辺を金具で支承することが多い。この金具として、下段側の建材の上辺を支持する支持部と、上段側の建材の下辺を係止する係止部を有し、釘又はビスによって壁面に固定されるものが用いられている。
【０００３】
第６図はかかる取付金具の従来の一例（特開平８−１２０８９４号）を示す斜視図である。この取付金具（同号公報では接合金具と指称している）８０は、基台８２と、該基台８２上に立設される幹板部８４と、該幹板部８４の上縁から両側に延設される枝板部８５Ａ，８５Ｂとからなる。８８Ａはビス穴、８８Ｂは釘穴である。この枝板部８５Ａによって下段側の建築板の上辺を支承し、枝板部８６Ｂによって上段側の建築板の下辺を支承する。
【０００４】
このように板状建材（建築板）の上辺と下辺とを支承した場合、強風、地震、振動その他の外力が加えられたときに、建材が横ずれするおそれがある。この横ずれを防止するために、上記の特開平８−１２０８９４号においては、第６図の通り、基台８２の一側縁から係止板８７を前方に突設している。
【０００５】
ところで、従来、取付金具を用いて建材を柱に取付施工するに際し、第７図の通り、建材５０同士の縦継目Ｊが柱５２の胴縁５４の前方に来る場合、通常の取付金具６０にて建材を柱に留め付けることができる。なお、第７図において、柱５２の前面に防水シート５６が張られ、胴縁５４が釘留めされ、板状建材５０が下段側から順次に取付施工される。この建材の上辺には雄実５０ａが設けられ、下辺には雌実５０ｂが設けられている。
【０００６】
下段側の建材５０の雄実５０ａに取付金具６０を係合させ、この取付金具６０を釘又はビスにより胴縁５４に留め付ける。次いで、下段側建材５０の雄実５０ａに上段側建材５０の雌実５０ｂを係合させると共に、この雌実５０ｂを取付金具６０に係合させる。以下、この手順を繰り返すことにより壁面が構築される。
【０００７】
ところが、建材の左右寸法が柱スパンの整数倍でない場合などには、建材同士の縦継目が柱同士のスパン間に来ることになり、この場合には、前記第６図の取付金具６０では縦継目を挟んで隣り合う建材を跨ぐことができず、両建材の出入りに差が生じることになる。
【０００８】
かかる短所を克服するものとして、特開２００４−２７０３４１号公報には、柱同士の間にレールを架設し、該レールにストッパ片付き建材取付金具をスライド可能に取り付け、該建材取付金具をレールに沿ってスライドさせてストッパ片を建材の側面同士の間に入り込ませた後、建材取付金具をレールに固定することが記載されている。
【特許文献１】特開平８−１２０８９４号公報
【特許文献２】特開２００４−２７０３４１号公報
【発明の開示】
【発明が解決しようとする課題】
【０００９】
この特開２００４−２７０３４１号公報では、レールに建材取付金具をスライド自在に装着しており、構成が若干複雑であり、コスト高である。
【００１０】
本発明は、上記従来の問題点を解決し、建材同士の縦継目が柱スパン間に位置する場合に該建材の横ズレを防止することができる建材の取付金具及び取付構造を安価に提供することを目的とする。
【００１１】
また、本発明は、横長材の端部に取付金具本体を仮留めしておいて取付金具を柱に留め付けることができる建材の取付金具及び取付構造を提供することを目的とする。
【課題を解決するための手段】
【００１２】
請求項１の建材取付金具は、建物の柱に対し板状の建材を取り付けるための取付金具であって、柱の前面に取り付けられる横長板状の横長材と、下段側建材の上部を前後移動不能に係止する係止部、上段側の建材の下部が載荷され、該建材下部を前方移動不能に支持する支持部、及び、該下段側建材の側面に当接して建材の横移動を阻止するストッパ片を有する取付金具本体と、を有し、該横長材の前面に該取付金具本体が装着される建材取付金具において、前記横長材の長手方向の両端側に、前方へ突出する突部が設けられ、該取付金具本体に、該突部が係合する孔が設けられていることを特徴とするものである。
【００１３】
請求項２の建材取付金具は、請求項１において、前記突部は、該孔を通過する前方突出部と、該前方突出部から垂設され、該孔の縁部に係合した係合部とを有することを特徴とするものである。
【００１４】
請求項３の建材取付金具は、請求項１又は２において、前記横長材は、平板状であり、該取付金具本体が前面に重ねられる主板と、該主板の上縁から前方へ突設され、該取付金具本体の上縁を係止する係止片とを有することを特徴とするものである。
【００１５】
請求項４の建材取付金具は、請求項１ないし３のいずれか１項において、該横長材の長手方向に沿って、該取付金具を柱に留め付けるための留付具の挿通用のスリットが設けられていることを特徴とするものである。
【００１６】
請求項５の建材の取付構造は、壁面の柱列に対し複数枚の板状の建材を取付金具によって取り付けた建材の取付構造において、少なくとも一部の該建材同士の縦継目が柱同士のスパン間に位置しており、該柱に請求項１ないし４のいずれか１項に記載の取付金具の横長材が固定され、該取付金具の取付金具本体に建材が留め付けられ、該取付金具本体のストッパ片が建材同士の縦継目間に差し込まれていることを特徴とするものである。
【発明の効果】
【００１７】
本発明の建材取付金具は、横長材と取付金具本体とを有し、この横長材に取付金具本体が固着されている。このため、横長材に対し取付金具本体をスライド自在に装着するための機構が不要であり、構造が簡易で安価なものとなる。
【００１８】
本発明の建材取付金具は、ストッパ片を下段側建材同士の継目に差し込み、横長材を１つの柱に取り付けるようにして建材取り付けに用いられる。
【００１９】
なお、吾国の建築構造では、柱・間柱（スタッド）間隔は最大でも５００ｍｍである。従って、建材同士の縦継目が柱からずれたとしても、このずれ幅は、最寄りの柱から２５０ｍｍ以下となる。従って、横長材の長さを２５０〜５００ｍｍとし、横長材の端部に最端部に取付金具本体を固着しておくことにより、建材同士の縦継目が如何なる位置にあっても、ストッパ片を建材同士の縦継目に差し込んでその横ズレを防止することができる。
【００２０】
本発明では、取付金具本体の孔を横長材の突部に係合させることにより、取付金具本体を横長材に仮留めしておくことができる。従って、柱間に横長材を渡して取付けない場合、即ち、１本の柱に横長材を固定する場合において、左右どちら側でも取付金具本体を固定でき、部材点数を減らすことが可能である。さらに、施工時に取付金具本体を手で押えておくことなく横長材の柱への留め付け作業を行うことができる。
【００２１】
この突部としては、前方突出部と、該前方突出部から垂設された係合部とを有するものが好適である。この係合部を孔の縁部に係合させることにより、取付金具本体が横長材に対ししっかりと保持される。
【００２２】
横長材の上縁に係止片を前方に向って突設し、取付金具本体の上縁を該係止片に係止させることにより、取付金具本体を横長材に対ししっかりと保持させることができる。
【００２３】
本発明の構造にあっては、取付金具本体の位置を合わせた後、横長材を建物の片方の柱に固定するようにするため、施工が簡単である。従来のように取付金具本体の両側にある柱両方に取付金具本体を止めつける場合に比べ、本発明の場合、柱への固定位置と金具本体の位置の微妙な調整も必要ないため極めて施工が容易である。
【発明を実施するための最良の形態】
【００２４】
以下、図面を参照して実施の形態について説明する。
【００２５】
第１図は実施の形態に係る取付金具の斜視図、第２図は横長材の斜視図、第３図はこの取付金具の分解斜視図、第４図は取付金具の拡大斜視図、第５図はこの取付金具を用いた建材取付構造を示す斜視図、第６図はこの構造における第４図のVI−VI線断面図である。
【００２６】
この取付金具１は、長手方向の長さが好ましくは２５０〜５００ｍｍ、特に好ましくは３００〜３５０ｍｍの横長板状の横長材１０と、この横長材１０の長手方向の一端側に固着された取付金具本体２０とからなる。この実施の形態では、取付金具本体２０は横長材１０の左端に装着されているが、右端に装着されてもよい。
【００２７】
横長材１０は、長方形の板材よりなる主板１１と、該主板１１の一長手辺（上辺）を前面側へ逆Ｌ形に折曲して形成した係止片１２、主板１１から突設された突部１３と、スリット１４とを有する。
【００２８】
この係止片１２は、水平部１２ａと、該水平部１２ａの前端から垂下する垂下部１２ｂとを有している。取付金具本体２０の上辺が、この垂下部１２ｂと主板１１との間に差し込まれる。
【００２９】
突部１３は、主板１１から前方に突出する前方突出部１３ａと、該前方突出部１３ａの前端から垂下する係合部１３ｂとを有する。この突部１３は、後述する取付金具本体２０の孔３０に差し込まれて係合する。
【００３０】
スリット１４は、主板１１の上下方向の中央を左右方向に延在している。このスリット１４を通してビス２を柱に打つことができる。
【００３１】
次に、取付金具本体２０の構成について詳細に説明する。
【００３２】
該取付金具本体２０の素体は、柱又は間柱に固定されるベース部２２と、このベース部２２から切り起こしにより形成された、下段側の建材の上辺を係止する係止部２４及び上段側の建材の下辺を支持する支持部２６と、該ベース部２２に設けられたストッパ片４０の差込み用の開口２８と、前記突部１３の係合用の孔３０とビス孔３１とを有している。この実施の形態では、ベース部２２の左右両側部分に孔３０が設けられ、中央にビス孔３１が設けられている。
【００３３】
該ベース部２２は柱又は間柱に沿って配置されたときにその前面が全体として該柱又は間柱から所定距離前方に位置する板状のものである。該ベース部２２の下縁部及び左右の側縁部からは、脚片部３２，３４が後方に立設されている。
【００３４】
該開口２８は、ベース部２２の左右幅方向の中央付近の下縁部に沿って設けられている。
【００３５】
係止部２４は、該開口２８の切り抜き残片を折曲させた下向きＬ形片であり、該開口２２の上縁部から前方に延出している。支持部２６は上向きＬ形片よりなり、支持部２６の左右の両サイドに配置されている。なお、この実施の形態では、ベース部２２の左右両側縁部の下部に、下段側の建材の裏面に食い込んだり、側面に当接したりすることが可能な爪片３８が突設されている。該爪片３８の上下両側にスリット３８ａ，３８ｂが形成されることにより舌片部３８ｃがベース部２２に設けられている。このベース部２２の先端に爪片３８が設けられている。この舌片部３８ｃは後方に向って変形可能である。
【００３６】
この取付金具本体２０の素体に対し、ストッパ片４０が装着されることにより、取付金具本体２０が構成される。
【００３７】
このストッパ片４０は、該開口２８の下側の縁部を形成する脚片部３２を弾性的に挟持する弾性挟持部４２と、該弾性挟持部４２から下方に垂下した垂下片４４を有している。この垂下片４４に、建材同士の間に差し込まれるストッパ片本体４４ａが一体に設けられている。該ストッパ片４０は、該弾性挟持部４２が脚片部３２を挟持することによりベース部２２に装着される。
【００３８】
この取付金具本体２０は、横長材１０の主板１１の前面に当てがわれる。この際、取付金具本体２０の上縁を係止片１２の裏側に差し込むと共に、突部１３が孔３０に差し込まれる。突部１３が孔３０内に差し込まれた後、取付金具本体２０を若干上方に押し上げる。これにより、突部１３の係合部１３ｂが孔３０の下側の縁部に係合し、取付金具本体２０が横長材１０に仮留めされる。
【００３９】
この取付金具本体２０及び横長材１０よりなる取付金具１を用いた建材の取付構造について第５，６図を参照して説明する。なお、第５，６図では、第８図と同一部分には同一符号を付してある。
【００４０】
柱と間柱がスパン４５５ｍｍにて立設されており、建材５０が柱に沿って下段側から順次に取り付け施工される。この取り付け手順は、取付金具として本発明のものを用いること以外は従来と同様である。なお、第５図でも防水シートが張設されているが、図面を明瞭にするためにその図示は省略されている。これらの建材５０及び防水シートの構成は第８図と同様である。
【００４１】
横長材１０の左端の取付金具本体２０の係止部２４が下段側建材５０の上辺の雄実５０ａに係合され、ストッパ片本体４４ａが該建材５０の側面に当接される。その後、この取付金具１の横長材１０のうち、柱５２の胴縁５４に重なる部分に対し、取付金具本体２０の素体（ストッパ片４０を取り外した状態の取付金具本体２０）２０’を重ね合わせ、この取付金具本体素体２０’のビス孔３１及び横長材１０のスリット１４を通してビス２が胴縁５４に打ち込まれ、これにより、取付金具１が柱５２に対し固定される。これにより、建材５０の上部は前方への移動が拘束される。
【００４２】
なお、第５図では建材５０，５０の縦継目が柱５２の左側に近接しているので、第１図に示すように横長材１０の左端に取付金具本体２０を装着した取付金具１（左側用）を用いているが、縦継目が柱５２の右側に近接しているときには、横長材１０の右端に取付金具本体２０を装着した取付金具（右側用）を用いる。なお、取付金具本体２０の横長材１０への装着は現場に合せて右側用、左側用の両方に用いることができる。従って、取付用金具本体がビス等で固定されたときのように右側用、左側用の各々の部材を用意する必要がない。
【００４３】
次いで、この建材５０に水平に隣接する建材５０を施工する。これらの建材５０のうち、間柱５３と重なる部分については、取付金具本体２０の素体２０’を介して間柱５３に留め付けられる。この素体２０’留め付け用ビス２は、間柱５３の前面の胴縁５４に打ち込まれている。
【００４４】
下段側のすべての建材５０の施工が終了した後、上段側の建材５０の施工を行う。この場合、上段側の建材５０の下辺の雌実５０ｂを支持部２６に載置する。これにより、建材５０が支承されると共に、建材５０の下部の前方への移動が拘束される。上段側の建材５０の上辺は、取付金具１を用いて上記と同様にして柱又は間柱の胴縁５４に留め付けられる。
【００４５】
なお、建材同士の縦継目が柱又は間柱に重なるときには、横長材１０を連結しない取付金具本体２０を用いれば足りる。
【００４６】
上記のように、この実施の形態では横長材１０と取付金具本体２０とからなる取付金具１を用いているので、建材５０の縦継目Ｊが柱、間柱の胴縁５４から外れていても左右に隣接する建材５０を面出入りを揃えて取付施工することができる。しかも、取付金具１のストッパ片４０により、建材５０の横ズレも防止される。
【００４７】
この取付金具１は、板状の横長材１０と取付金具本体２０とからなるものであり、構成が簡易で安価である。なお、取付金具本体２０としては、横長材１０を水平に取り付け可能なものであれば、市販品を用いることができる。
【００４８】
上記実施の形態は本発明の一例であり、本発明は図示以外の形態をもとりうる。
【００４９】
上記実施の形態では、突部１３は逆Ｌ字形であるが、孔３０に入り込むものであればよく、例えば筒軸心線方向と主板１１の板面と垂直方向とした短い円筒形の突部を設けてもよい。ただし、上記実施の形態の通り、逆Ｌ形の突部１３であれば、孔３０の縁部に係合するので、取付金具本体２０を横長材１０に対ししっかりと保持させることができる。
【図面の簡単な説明】
【００５０】
【図１】本発明の実施の形態に係る建材の取付金具の斜視図である。
【図２】図１の取付金具の横長材を示す斜視図である。
【図３】図１の取付金具の分解斜視図である。
【図４】取付金具本体の斜視図である。
【図５】実施の形態に係る建材取付構造を示す斜視図である。
【図６】図３のVI−VI線に沿う断面図である。
【図７】従来の取付金具を示す斜視図である。
【図８】従来例を示す斜視図である。
【符号の説明】
【００５１】
１  取付金具
２  ビス
１０  横長材
１２  係止片
１３  突部
１３ａ  前方突出部
１３ｂ  係合部
１４  スリット
２０  取付金具本体
２０’  取付金具本体の素体
２４  係止部
２６  支持部
３０  孔
３１  ビス孔
４０  ストッパ片
４４ａ  ストッパ片本体
【図１】
2007162352.tif 000003
【図２】
2007162352.tif 000004
【図３】
2007162352.tif 000005
【図４】
2007162352.tif 000006
【図５】
2007162352.tif 000007
【図６】
2007162352.tif 000008
【図７】
2007162352.tif 000009
【図８】
2007162352.tif 000010